(57)【要約】【課題】高度な家具転倒防止効果を奏するのみならず、設置作業が非常に容易で、家具と天井との隙間が狭い場合でも何ら問題なく適用することができ、構造がシンプルで安価に製造可能な家具転倒防止器具を提供する。【解決手段】家具転倒防止用器具１は、平板状のベース部４の左右両側に、上向きの凸状となるように二つ折り形成可能な一対の支承体形成部１８，１９を設けた本体部材２と、二つ折り形成される支承体２４，２５が一定の高さとなるように固定するための固定部材３と、本体部材２の上に載置する平板状のカバー部材３１とによって構成されている。【選択図】図２
2007105110.tif 000002
【特許請求の範囲】
【請求項１】
家具の転倒を防止するために家具と家屋の天井との間に設置される家具転倒防止用器具であって、
平板状のベース部の左右両側に、上向きの凸状となるように二つ折り形成可能な一対の支承体形成部を設けた本体部材と、
支承体形成部を二つ折りすることにより形成される支承体が一定の高さとなるように固定するための固定部材と、
本体部材のベース部以上の大きさを有しており、形成された左右一対の支承体の上に懸架された状態で本体部材に上載置されるカバー部材とからなることを特徴とする家具転倒防止用器具。
【請求項２】
カバー部材の前側および／または後側の端縁が下方に折り返されており、その折返し部以外の非折返し部が本体部材のベース部と略同一の大きさを有しているとともに、前記折返し部の基端が、非折返し部と接着されていることを特徴とする請求項１に記載の家具転倒防止用器具。
【請求項３】
前記固定部材が、形成された一対の支承体同士の間隔を一定に保つことによって各支承体を固定するものであることを特徴とする請求項１、または２に記載の家具転倒防止用器具。
【請求項４】
形成される一対の支承体同士の間隔を調節するための調節手段が設けられていることを特徴とする請求項１〜３のいずれかに記載の家具転倒防止用器具。
【発明の詳細な説明】
【技術分野】
【０００１】
本発明は、地震の際にタンスや本棚等の家具が転倒するのを防止する家具転倒防止用の器具に関するものである。
【背景技術】
【０００２】
家具と天井との間に大きな間隙が存在すると、大きな地震があった場合に、家具が転倒してしまう虞れがある。そのように家具が転倒する事態を防止すべく、特許文献１の如く、長さ調整可能な一対の支承立直棒体を水平架設棒体で連結した家具転倒防止具が知られている。かかる家具転倒防止具は、各支承立直棒体の下端を家具に固定し、各支承立直棒体の上端を天井に固定することにより、地震の際に天井と家具との間の相対的な変位を抑制することにより、家具の転倒を防止するものである。
【０００３】
【特許文献１】特開平０８−２１４９６９号公報
【発明の開示】
【発明が解決しようとする課題】
【０００４】
しかしながら、上記した特許文献１の如き家具転倒防止用具は、家具の転倒を防止する効果は奏し得るものの、家具と天井との隙間に設置する際に、家具と天井との距離や家具の幅に合わせて、各支承立直棒体の長さを別々に調整しなければならず、設置作業に手間がかかる。また、各支承立直棒体が、大径の基パイプ内で小径のスライドパイプを固定することによって長さを調節する構造であるため、家具と天井との隙間が狭い場合には、構造的に適用し難い。その上、全体的に構造が複雑であるため、製造コストが高い、という不具合もある。
【０００５】
本発明の目的は、上記した従来の家具転倒防止具の有する問題点を解消し、高度な家具転倒防止効果を奏するのみならず、設置作業が非常に容易で、家具と天井との隙間が狭い場合でも何ら問題なく適用することができ、構造がシンプルで安価に製造可能な家具転倒防止器具を提供することにある。
【課題を解決するための手段】
【０００６】
かかる本発明のうち、請求項１に記載された発明の構成は、家具の転倒を防止するために家具と家屋の天井との間に設置される家具転倒防止用器具であって、平板状のベース部の左右両側に、上向きの凸状となるように二つ折り形成可能な一対の支承体形成部を設けた本体部材と、支承体形成部を二つ折りすることにより形成される支承体が一定の高さとなるように固定するための固定部材と、本体部材のベース部以上の大きさを有しており、形成された左右一対の支承体の上に懸架された状態で本体部材に上載置されるカバー部材とからなることにある。
【０００７】
請求項２に記載された発明の構成は、請求項１に記載された発明において、カバー部材の前側および／または後側の端縁が下方に折り返されており、その折返し部以外の非折返し部が本体部材のベース部と略同一の大きさを有しているとともに、前記折返し部の基端が、非折返し部と接着されていることにある。
【０００８】
請求項３に記載された発明の構成は、請求項１、または請求項２に記載された発明において、前記固定部材が、形成された一対の支承体同士の間隔を一定に保つことによって各支承体を固定するものであることにある。
【０００９】
請求項４に記載された発明の構成は、請求項１、または請求項２に記載された発明において、形成される一対の支承体同士の間隔を調節するための調節手段が設けられていることにある。
【発明の効果】
【００１０】
請求項１に記載された家具転倒防止用器具は、家具の上に載置して、支承体形成部を上向きの凸状に二つ折りにして、カバー部材を載置するだけで設置することができるので、設置作業が非常に容易である。また、設置された家具転倒防止用器具は、地震の際には、二つ折り形成された一対の支承体が家具と天井との隙間を埋めるスペーサとして機能し、天井と家具との相対的な変位を抑制するとともに、一対の支承体に懸架されたカバー部材が広い面積で天井面と接触するため、家具の転倒を効果的に防止することができる。さらに、家具と天井との隙間が狭い場合でも、何ら問題なく適用することができる上、構造がシンプルで安価に製造することができる。
【００１１】
請求項２に記載された家具転倒防止用器具は、カバー部材の折返し部によって、本体部材の前面、後面が覆われるので、家具と天井との隙間に載置した場合の外観が良好である。また、カバー部材の折返し部が支承体と接触し、摩擦力によって支承体の左右の動きを規制するため、家具転倒防止機能の精度が高い。加えて、折返し部の基端が、非折返し部と接着されているため、折返し部の先端が外側に拡がって外観を悪化させる事態が生じない。
【００１２】
請求項３に記載された家具転倒防止用器具は、固定部材が、形成された一対の支承体同士の間隔を一定に保つことによって各支承体を固定するものであるため、二つ折り形成された支承体によって構成されるトラス構造の強度が高いので、地震の際に非常に効果的に家具の転倒を防止することができる。
【００１３】
請求項４に記載された家具転倒防止用器具は、形成される一対の支承体同士の間隔を調節するための調節手段が設けられているため、家具と天井との間隔に応じて、形成される各支承体の高さを調整することにより、きわめて効果的に家具の転倒を防止することができる。
【発明を実施するための最良の形態】
【００１４】
図１、図２は、本発明に係る家具転倒防止用器具を示したものであり、家具転倒防止用器具１は、本体部材２と固定部材３とカバー部材３１から構成されている。本体部材２は、厚さが約５．０ｍｍの段ボールによって長尺の帯状に形成されている。そして、中央に位置したベース部４の左右が、それぞれ、山折り線５において、内側へ折り返されており、左右の両端縁際が隣接した状態になっている。そして、左側の折返部分６の上側の端縁際には、固定部材３の基端側を固定するための基端部固定手段８が設けられており、右側の折返部分７の上側の端縁際には、固定部材３の先端側を固定するための先端部固定手段９が設けられている。なお、家具転倒防止用器具１は、ベース部４の大きさが、幅約８０ｃｍ×奥行き約４０ｃｍとなるように設計されている。
【００１５】
基端部固定手段８は、固定部材３の基端の固定位置を調節するための帯状の位置調節片１０と、位置調節された固定部材３の基端を支持するための支持片１１とによって構成されている。位置調節片１０は、調節手段として機能する同一径の１４個の係止孔１２，１２・・が直線状に連続的に穿設されており、それらの係止孔１２，１２・・が幅方向に対して約４５°傾斜するように、左側の折返部分６に貼着されている。なお、各係止孔１２，１２・・の径は、後述する固定部材３の筒状体１３と同一である。また、支持片１１は、帯状に形成されており、内側の側面が、傾斜状に穿設された係止孔１２，１２・・の列と平行になっている。さらに、ベース部４の係止孔１２，１２・・の下側に位置した部分は、略長方形状に穿設されている。加えて、本体部材２は、位置調節片１０のみ、他の部分に比べて嵩密度の高い硬質の段ボールによって形成されている。
【００１６】
一方、先端部固定手段９は、長尺帯状の下側片１４を、内側（図上では左側）の端縁が折返部分７の端縁より所定の長さだけ外側に平行に位置するように貼着し、その下側片１４の上側に、下側片１４より幅広な上側片１５を、内側の端縁が下側片１４の内側の端縁から折返部分７の端縁と同じ長さだけ突出するように重ねて貼着することによって形成されている。そして、折返部分７、下側片１４、上側片１５によって、コ字状の係合溝１６を形成した状態になっている。
【００１７】
さらに、上記した基端部固定手段８および先端部固定手段９の外側には、それぞれ、支承体形成部１８，１９が設けられている。左側の支承体形成部１８は、基端部固定手段８と隣接した外側に、本体部材２の幅方向に対して垂直に谷折り線２０が設けられており、その谷折り線２０と左側の山折り線５との中間に、それらの谷折り線２０、山折り線５と平行に山折り線２１が設けられている。また、右側の支承体形成部１９は、先端部固定手段９と隣接した外側に、本体部材２の幅方向に対して垂直に谷折り線２２が設けられており、その谷折り線２２と右側の山折り線５との中間に、それらの谷折り線２２、山折り線５と平行に山折り線２３が設けられている。
【００１８】
一方、固定部材３は、厚さが約１０．０ｍｍの段ボールによって先端が鉤状に折れ曲がった長方形の平板状に形成されており、基端側には、補強片１７が貼着されている。また、基端側の補強片１７の貼着部分には、固定位置を調節するための筒状体１３が、裏面から外側に突出するように設けられている。さらに、基端の片側は、斜めにカットされて斜辺２６を形成しており、固定部材３の長手方向に対して約４５°の角度を成した状態になっている。なお、固定部材３は、筒状体１３のみ、他の部分に比べて嵩密度の高い硬質の段ボールによって形成されている。
【００１９】
一方、カバー部材３１は、厚さが約１０．０ｍｍの段ボールによって幅広な長方形の平板状に形成されている。そして、前側の端縁際（約１００ｍｍ）が下方に折り返されており、その折返し部３２の内面の基端部分（約３０ｍｍ）が、折返し部３１以外の非折返し部３３の表面に接着された状態になっている。なお、カバー部材３１の非折返し部３３の大きさは、本体部材２のベース部４と略同一の大きさである。
【００２０】
上記の如く形成された家具転倒防止用器具１を使用する場合には、本体部材２のベース部４を家具の上に載置し、その状態で、本体部材２の左右の折返部分６，７を、それぞれ、外側に移動させて、左右の支承体形成部１８，１９を、それぞれ、谷折り線２０，２２で谷折りし、山折り線２１，２３で山折りすることによって、中空三角柱状の支承体２４，２５を形成する。それらの支承体２４，２５は、天井を支承し、天井との家具との相対的な変位を抑制するスペーサとして機能する。
【００２１】
また、折り曲げ形成された左右の支承体２４，２５が所定の高さになるように、固定部材３を利用して、左右の折返部分６，７を相対的に固定する。すなわち、固定部材３の裏面から突出している筒状体１３を、位置決め片１０の係止孔１２，１２・・の内のいずれかに挿入し、固定部材３の基端の裏面を位置決め片１０と接合させ、その状態で、図３の如く、固定部材３の先端側を、回転させながら先端部固定手段９の係合溝１６内に挿入し、固定部材３の長手方向が幅方向と平行になるように配置させ、固定部材３の先端縁と先端部固定手段９の下側片１４の内側の端縁とを接合させる。なお、固定部材３の長手方向が幅方向と平行になると、固定部材３の斜辺２６が支持片１１の内側の側面と接合し、固定部材３の幅方向への動きが一層効果的に規制される。なお、固定部材３の先端の鉤状部分と反対側は、曲率半径が約２０ｍｍのＲ形状になっており、固定部材３の先端を先端部固定手段９の係合溝１６内に非常にスムーズに挿入することができる。
【００２２】
そのように固定部材３の先端および基端を、それぞれ、基端部固定手段８および先端部固定手段９に係着させることによって、左右の折返部分６，７の端縁同士の間隔が一定の長さに保たれ、左右の支承体２４，２５が所定の高さで保持される。そして、図４の如く、形成された支承体２４，２５に懸架された状態となるように、カバー部材３１を本体部材２上に載置する。そして、カバー部材３１の折返し部３２によって、本体部材２の前面を覆い、形成された支承体２４，２５の前端縁と折返し部３２の内面とを接触させることによって、家具転倒防止用器具１の設置を完了する。なお、家具と天井との隙間が狭く、左右の支承体２４，２５の高さを低くしたい場合には、図５の如く、手前側の係止孔１２を利用して固定部材３を固定し、家具と天井との隙間が広く、左右の支承体２４，２５の高さを高くしたい場合には、図６の如く、奥側の係止孔１２を利用して固定部材３を固定する。そのように左右の支承体２４，２５の高さを調整する際には、載置されたカバー部材３１の上面が天井面と当接するように調整すると、カバー部材３１と天井との摩擦力によって家具転倒防止効果が一段と向上するので好ましい。
【００２３】
家具転倒防止用器具１は、上記の如く、平板状のベース部４の左右両側に、上向きの凸状となるように二つ折り形成可能な一対の支承体形成部１８，１９を設けた本体部材２と、二つ折り形成される支承体２４，２５が一定の高さとなるように固定するための固定部材３と、本体部材２のベース部４以上の大きさを有しており、形成された左右一対の支承体２４，２５の上に懸架された状態で本体部材２に上載置されるカバー部材３１とからなるものであるため、家具の上に載置して、支承体形成部１８，１９を上向きの凸状に二つ折りにして、カバー部材３１を載置するだけで設置することができるので、設置作業が非常に容易である。また、ベース部４が家具の表面に当接し、一対の支承体２４，２５が稜線に沿って天井を支承するため、地震の際には、家具と天井との隙間を埋めるスペーサとして機能し、天井と家具との相対的な変位を抑制するとともに、一対の支承体に懸架されたカバー部材が広い面積で天井面と接触するため、効果的に家具の転倒を防止することができる。さらに、家具と天井との隙間が狭い場合でも、何ら問題なく適用することができる上、構造がシンプルで安価に製造することができる。加えて、家具転倒防止用器具１は、全体が段ボールによって形成されているため、使用した後には回収してリサイクルしたり、消却したりすることができ、地球環境に悪影響を及ぼすことがない。
【００２４】
また、家具転倒防止用器具１は、カバー部材３１の前側の端縁が下方に折り返されており、その折返し部３２以外の非折返し部３３が本体部材２のベース部４と略同一の大きさを有しているとともに、折返し部３の基端が、非折返し部３３と接着されているため、カバー部材３１の折返し部３２によって、本体部材２の前面が覆われるので、家具と天井との隙間に載置した場合の外観が良好である。また、カバー部材３１の折返し部３２が支承体２４，２５の前端縁と接触し、摩擦力によって支承体２４，２５の左右の動きを規制するため、家具転倒防止機能の精度が高い。加えて、折返し部３２の基端が、非折返し部３３と接着されているため、折返し部３２の先端が外側に拡がって外観を悪化させる事態が生じない。
【００２５】
さらに、家具転倒防止用器具１は、固定部材３が、形成された一対の支承体２４，２５同士の間隔を一定に保つことによって各支承体２４，２５を固定するものであるため、二つ折り形成された支承体２４，２５によって構成されるトラス構造の強度が高いので、地震の際に非常に効果的に家具の転倒を防止することができる。
【００２６】
加えて、家具転倒防止用器具１は、形成される一対の支承体２４，２５同士の間隔を調節するための調節手段（すなわち、位置調節片１０の係止孔１２，１２・・）が設けられているので、家具と天井との間隔に応じて、形成される各支承体２４，２５の高さを調整することにより、きわめて効果的に家具の転倒を防止することが可能となる。
【００２７】
なお、本発明の家具転倒防止用器具の構成は、上記実施形態の態様に何ら限定されるものではなく、本体部材、固定部材の形状・構造等の構成を、本発明の趣旨を逸脱しない範囲で、必要に応じて適宜変更することができる。
【００２８】
たとえば、本発明の家具転倒防止用器具は、段ボールによって形成されたものに限定されず、必要に応じて、材質をプラスチックや金属に変更することができる。また、家具転倒防止用器具は、上記実施形態の如く、連続的に設けた複数の係止孔の内のいずれかに固定部材基端の突起を挿入することによって、支承体の間隔を調節する（すなわち、支承体の高さを調節する）ものに限定されず、連続的に複数の突起体を設け、それらの突起体の内のいずれかを固定部材基端の係止孔に挿入することによって、支承体の間隔を調節するもの等に変更することも可能である。加えて、調節機構として設ける複数の係止孔は、上記実施形態の如く、各係止孔同士が連なっているものに限定されず、各係止孔が分離しているものでも良い。また、そのように各係止孔を分離させる場合には、各係止孔を傾斜状に設ける必要はなく、幅方向に平行に設けることも可能である。なお、上記実施形態如く、各係止孔を傾斜状に連続的に設けた場合には、固定部材の固定位置を細かく調節することができる（すなわち、各支承体の高さを細かく調節することができる）、というメリットがある。さらに、カバー部材は、前側のみに折返し部を設けたものに限定されず、前側および後側に折返し部を設けることも可能である。
【００２９】
また、本体部材の左右の折返部分は、上記実施形態の如く、帯状に形成する必要はなく、片側の折返部分を、前側から後側にかけて幅広になるように三角形状に形成するとともに、反対側の折返部分を、後側から前端にかけて幅広になるように三角形状に形成することも可能である。そのように形成した場合には、折返し部の内面とベース部の表面との摩擦力が左右でバランスのとれたものとなるので、左右の支承体の動き（横方向へのずれ）が一層規制され、家具の転倒防止機能がより精度の高いものとなる。
【００３０】
また、家具転倒防止用器具は、家具の上に直接的に設置するものに限定されず、図７の如く、家具Ｆの上に設置された箱材（段ボール箱等）Ｂ，Ｂの上に設置するものに変更することも可能である。加えて、左右の折返し部の内面とベース部の表面との間に、板状のスポンジ材（発泡スチロールや発泡ウレタン等からなるもの）を介在させて、左右の支承体の動きを規制することによって、家具の転倒防止機能を一段と精度の高いものとすることも可能である。
【産業上の利用可能性】
【００３１】
本発明の家具転倒防止用器具は、上記の如く優れた効果を奏するものであるので、タンスや戸棚等の家具の転倒を防止するための器材として、好適に用いることができる。
【図面の簡単な説明】
【００３２】
【図１】家具転倒防止用器具の平面図である。
【図２】家具転倒防止用器具の斜視図である。
【図３】家具転倒防止用器具の使用方法を示す説明図である。
【図４】家具転倒防止用器具を組み立てた状態の斜視図である。
【図５】家具転倒防止用器具の使用状態を示す説明図である（（ａ）は平面図であり、（ｂ）は正面図である）。
【図６】家具転倒防止用器具の使用状態を示す説明図である（（ａ）は平面図であり、（ｂ）は正面図である）。
【図７】家具転倒防止用器具の設置方法の変更例を示す説明図である。
【符号の説明】
【００３３】
１・・家具転倒防止用器具、２・・本体部材、３・・固定部材、４・・ベース部、１８，１９・・支承体形成部、２４，２５・・支承体、３１・・カバー部材、３２・・折返し部、３３Ｃ・・非折返し部、天井、Ｆ・・家具。
【図１】
2007105110.tif 000003
【図２】
2007105110.tif 000004
【図３】
2007105110.tif 000005
【図４】
2007105110.tif 000006
【図５】
2007105110.tif 000007
【図６】
2007105110.tif 000008
【図７】
2007105110.tif 000009